(57)【要約】【課題】  パチンコ等の玉貸機において、紙幣、硬貨およびＩＣコインを任意に使用可能とする。【解決手段】  玉貸機１は、紙幣識別機２０と、硬貨セレクタ３０と、順送り部４０と、下端に下部振分け部５０を有するＩＣコインの保留部とを設け、硬貨とＩＣコインは共通投入口から投入通路２１を経て投入される。貸玉購入後の残額は下部振分け部から払出すＩＣコインに設定される。紙幣挿入口と共通投入口の２つを用いて紙幣、硬貨およびＩＣコインの３種による貸玉の購入が可能となる。【選択図】        図３
2006055188.tif 000002
【特許請求の範囲】
【請求項１】
遊技媒体貸出機が、紙幣挿入口と、該紙幣挿入口に連ねた紙幣識別機と、硬貨とＩＣコインの共通投入口と、該共通投入口に連ねた投入通路と、硬貨を識別する硬貨セレクタと、返却口と、前記投入通路において、ＩＣコインのデータを読み取り可能な第１リーダを備え、前記共通投入口からの硬貨またはＩＣコインを保持可能であり、保持した硬貨またはＩＣコインを送出する際に次位の硬貨またはＩＣコインを前記投入通路にて一時停止する順送り手段と、該順送り手段からのＩＣコインを保留する保留部と、該保留部の出口においてＩＣコインのデータを読み取る第２リーダと、該第２リーダでデータを読み取ったＩＣコインを前記返却口側へ案内する保持手段と、前記第１リーダでデータを読み取れたＩＣコインを前記保留部に振分け、データを読み取れなかったＩＣコインを前記返却口に振分ける振分け手段とを有し、前記紙幣挿入口または前記共通投入口からの入金金額から遊技媒体の購入金額を差し引いた残額を、前記保持手段に保持したＩＣコインに設定する残額設定手段を有し、前記保持手段は前記残額設定手段により残額が設定されたＩＣコインを払出すことを特徴とする遊技媒体貸出しシステム。 
【発明の詳細な説明】
【技術分野】
【０００１】
本発明は、遊技施設に併設された遊技媒体貸出機による、パチンコ玉やメダル等の遊技媒体の貸出しシステムに関する。
【背景技術】
【０００２】
従来の遊技媒体貸出しシステムとして、例えば特開２００２−１８１０９号公報に開示されたものがある。  これは電子データの書込みが可能なＩＣコインを利用するもので、遊技媒体貸出機は、紙幣およびＩＣコインの受付機能を有し、指定購入金額に応じた玉やメダルなどの遊技媒体を払い出す一方、投入した紙幣やＩＣコインの金額から遊技媒体の購入金額を差し引いた金額その他のデータを書き込んだＩＣコインを払い出して返却するものとなっている。遊技媒体貸出機は払い出したＩＣコインに書き込んだデータを管理コンピュータにも書き込む。  
【０００３】
返却されたＩＣコインは、精算機に投入することにより、当該ＩＣコインに書き込まれている金額の紙幣の払出しを受けることができ、あるいは次回に遊技媒体貸出機に投入することにより、遊技媒体の貸し出しを受けることができる。精算機や遊技媒体貸出機は、投入されたＩＣコインに書き込まれたデータと管理コンピュータに書き込まれているデータを照合して、正規のＩＣコインであることを確認する。    
【特許文献１】特開２００２−１８１０９号公報
【発明の開示】
【発明が解決しようとする課題】
【０００４】
しかしながら、上記従来の遊技媒体貸出しシステムでは、遊技媒体貸出機が紙幣とＩＣコインのみを受け付け可能となっており、複数の多数流通している硬貨は受付けしないものとして、複数種類の通貨を扱わないことにより簡素、小型にできるとしている。  これは、遊技媒体貸出機が、例えばパチンコ店ではパチンコ台間に設置するために、その正面パネルの幅が極限まで細く設定されてスペースが小さいことから、紙幣挿入口とＩＣコイン投入口に加えて、硬貨の投入口まで配置する余裕がないことも背景となっていることが考えられる。  そのため、硬貨しか手持ちがない遊技者は、別途に設置された硬貨使用可能の遊技媒体貸出機まで移動しなければならないという不便が生じる。  
【０００５】
本発明は、このような従来の問題点に鑑み、紙幣、ＩＣコイン、ならびに硬貨を任意に使用可能な遊技媒体貸出しシステムを提供することを目的とする。
【課題を解決するための手段】
【０００６】
このため本発明は、遊技媒体貸出機が、紙幣挿入口と、紙幣挿入口に連ねた紙幣識別機と、硬貨とＩＣコインの共通投入口と、共通投入口に連ねた投入通路と、硬貨を識別する硬貨セレクタと、返却口と、投入通路において、ＩＣコインのデータを読み取り可能な第１リーダを備え、共通投入口からの硬貨またはＩＣコインを保持可能であり、保持した硬貨またはＩＣコインを送出する際に次位の硬貨またはＩＣコインを投入通路にて一時停止する順送り手段と、順送り手段からのＩＣコインを保留する保留部と、保留部の出口においてＩＣコインのデータを読み取る第２リーダと、第２リーダでデータを読み取ったＩＣコインを返却口側へ案内する保持手段と、第１リーダでデータを読み取れたＩＣコインを保留部に振分け、データを読み取れなかったＩＣコインを返却口に振分ける振分け手段とを有し、紙幣挿入口または共通投入口からの入金金額から遊技媒体の購入金額を差し引いた残額を、保持手段に保持したＩＣコインに設定する残額設定手段を有し、保持手段は残額設定手段により残額が設定されたＩＣコインを払出すものとした。
【発明の効果】
【０００７】
遊技終了までの遊技媒体の購入金額が入金金額に満たなかった場合、その残額が設定されたＩＣコインを払出すので、次回はこのＩＣコインを共通投入口から投入することにより遊技媒体を購入することができる。共通投入口は硬貨セレクタにもつながっているので、挿入口と共通投入口の２つの口を用いて紙幣、硬貨およびＩＣコインの３種による遊技媒体の購入が可能となった。また、硬貨やＩＣコインが連続して投入された場合でも、１枚ずつ硬貨セレクタへ送り出すことが可能であり、硬貨セレクタによる識別および振分けが確実に行われる。
【発明を実施するための最良の形態】
【０００８】
以下、本発明の実施の形態について詳細に説明する。  図１は、本発明をパチンコ店に適用した実施の形態の構成を示す図である。  遊技媒体貸出機としての玉貸機１が図示省略のパチンコ台間に設置されている。玉貸機１は、それぞれ紙幣挿入口３、硬貨およびＩＣコインの共通投入口４、カード挿入口５、ＩＣコイン等の返却口６、および玉払出し口７を備えている。  玉貸機１はまた、内部に制御部６０を備え、各制御部６０は管理サーバ７０と通信可能に接続されている。  管理サーバ７０は、さらにパチンコ店内の適宜箇所に設置された精算機７５とも通信可能に接続されている。  ＩＣコインにはそれぞれを識別可能なＩＤが書き込まれており、管理サーバ７０は、ＩＣコインのＩＤに対応させた管理領域７２（７２Ａ、７２Ｂ、・・７２Ｎ）を設定し、各ＩＣコインの金額データを記憶可能に構成されている。  
【０００９】
図２、図３は玉貸機１の詳細を示し、図２は正面パネル２の正面図、図３は内部構造を示す側面図で、硬貨およびＩＣコインの通路については断面を示している。  まず図２に示すように、正面パネル２の略中間高さ位置には樋状の玉払出し口７が配置されている。玉払出し口７より上側の上半部には、上から順に紙幣挿入口３、硬貨およびＩＣコインの共通投入口４が設けられ、さらにその下側には、返却スイッチ８、返却ボタン９、残玉回数表示部１０、残高・貯玉度数表示部１１、表示切替スイッチ１２、高額払出スイッチ１３、高額使用可表示部１４、貯玉払出スイッチ１５、貯玉使用可表示部１６が設けられている。  
【００１０】
また、玉払出し口７より下側の下半部には、返却口６、鍵穴１７、およびカード挿入口５が設けられている。  返却スイッチ８は、ＩＣコインや会員カードの返却を求めるためのスイッチ、返却ボタン９は内部に詰まった硬貨やＩＣコインを払い出すためのボタンである。  残玉回数表示部１０は、貸玉を払出す際に、払出すべき玉数を減算表示する。  残高・貯玉度数表示部１１は、投入された紙幣、ＩＣコインまたは会員カードの残高金額または対応する玉数を表示する。表示切替スイッチ１２はＩＣコインまたは会員カードのいずれの残高を残高・貯玉度数表示部１１に表示させるかを選択するためのものである。  
【００１１】
高額払出スイッチ１３は、例えば２千円以上の高額紙幣を投入したとき、まず千円分だけの玉が玉払出し樋から払い出されるが、その後さらに払出しを受けるためのものである。残高が存在する範囲で、このスイッチを押すごとに千円分ずつの玉が払い出される。  高額使用可表示部１４は、当該玉貸機が高額紙幣を受付け可能状態であることをＬＥＤの点灯で表示する。また貯玉使用可表示部１６は、当該玉貸機が会員カードを受付け可能状態であることをＬＥＤの点灯で表示する。  
【００１２】
貯玉払出スイッチ１５は、会員カードが挿入されているとき、払出しを受けるためのものである。貯玉が存在する範囲で、このスイッチを押すごとに例えば１００個分など所定単位ずつの玉が払い出される。  返却口６は、残高が設定されたＩＣコイン、および不良硬貨を払い出す。  下半部のうち返却口６を含むパネル２ａは、鍵穴１７にキーを挿し込んで開くことができ、後述するエラーコイン収納部６２から読取りエラーの発生したＩＣコインを回収可能となっている。  
【００１３】
図３に示すように、玉貸機１内部では、玉通路６６が玉払出し口７を図示しない貸玉供給部に接続している。玉貸機１の上部には、紙幣挿入口３（図２参照）に連ねた紙幣識別機２０が設けられ、紙幣挿入口３から投入された紙幣の真偽および金額を識別する。投入されたものが真紙幣の場合は図示しない紙幣搬送通路へ送り出される一方、偽紙幣の場合は紙幣挿入口３から差し戻される。  
【００１４】
硬貨およびＩＣコインの共通投入口４（図２参照）には投入通路２１が接続され、共通投入口から投入された硬貨あるいはＩＣコインは順送り部４０を介して硬貨セレクタ３０へ案内される。順送り部４０はＩＣコインのＩＤ読み取りを行う上部リーダ４２と順送りレバー４４を備える。順送りレバー４４は第１ストッパ４５と第２ストッパ４６を有して順送りソレノイド（不図示）と接続され、第１ストッパ４５および第２ストッパ４６は投入通路２１へ突出している。共通投入口４から投入されたＩＣコイン等は第１ストッパ４５によって投入通路２１内で一旦保持されると、透過センサ４９の検知信号が制御部６０へ入力され、制御部６０はその信号に基づいて、第１保持部４５に保持されたＩＣコインのＩＤを上部リーダ４２に読み取らせる（図４）。上部リーダ４２による読み取り処理を完了した後、図５に示すように順送りソレノイドが励磁されることによって順送りレバー４４が支軸４８を支点に反時計方向に回動し、第１ストッパ４５の下方向回動により保持が解除され硬貨セレクタ３０へ送出される。また、このとき次位に投入されたＩＣコイン等は第２ストッパ４６の下方向回動によって一時停止される。  順送りレバー４４の第１ストッパ４５によって停止しているＩＣコインを、必要に応じて順送り部のＩＣコインと呼ぶ。  
【００１５】
硬貨セレクタ３０は、順送り部４０からの硬貨あるいはＩＣコインを受け入れ、硬貨を識別して、正貨であれば正貨通路２２へ案内され、正貨は正貨通路２２から図示しない硬貨搬送路へ送り出される。  順送り部４０から送出されたものが偽貨またはＩＣコインの場合は、非正貨通路へ案内される。  
【００１６】
非正貨通路２３の下端は、シャッター２８を介して枝分かれした保留通路２４と返却通路２５につながっている。シャッター２８はシャッターソレノイド（不図示）に接続され、シャッターソレノイドが励磁すると開放し、消磁すると通路に突出して保留通路側を閉鎖する。これにより非正貨通路２３を移動してきたＩＣコイン等を保留通路２４または返却通路２５へ振り分ける。通常時はシャッターソレノイドは消磁され、シャッター２８が突出して保留通路２４側を閉鎖している。返却通路２５の下端は返却口６に開口している。  
【００１７】
保留通路２４の下端は、下部振分け部５０を介して左右に枝分かれした回収通路２６とＩＣコイン払出し通路２７につながっている。下部振分け部５０は、ＩＣコインのＩＤ読み取りを行う下部リーダ５２と、振分けディスク５４を備える。  振分けディスク５４は周縁部に切り欠き凹部５５を有して、保留通路２４を移動してきたＩＣコインをその切り欠き凹部５５に保持すると、透過センサ５９の検知信号が制御部６０へ入力され、制御部６０はその信号に基づいて、切り欠き凹部５５に保持されたＩＣコインのＩＤを下部リーダ５２に読み取らせる。  振分けディスク５４の切り欠き凹部５５に保持されているＩＣコインを、必要に応じて、下部振分け部のＩＣコインと呼ぶ。下部リーダ５２は読み取ったＩＣコインのＩＤを制御部６０へ出力する。  保留通路２４は共通投入口４から投入されたＩＣコインを多数保留するために、折れ曲がり形状として長い通路長を確保している。  
【００１８】
振分けディスク５４は、一方向または逆方向に回動して、切り欠き凹部５５に保持したＩＣコインをＩＣコイン払出し通路２７または回収通路２６へ振り分ける。  回収通路２６は玉貸機１の下部に配置されたエラーコイン収納部６２につながり、ＩＣコイン払出し通路２７は返却口６に開口している。  玉貸機１の底部には、カード挿入口５に対応させてカードリードライタ６４が設置されている。  
【００１９】
制御部６０は玉貸機１の下半部に保留通路２４および回収通路２６と重ねて配置されている。  制御部６０は、紙幣識別機２０、順送り部４０、シャッター２８、下部振分け部５０、およびカードリードライタ６４と図示しない信号線で接続されている。  これにより、紙幣識別機２０は紙幣挿入口３から投入された紙幣の金額データを制御部６０へ出力する。  
【００２０】
順送り部４０からは、順送りレバー４４の第１ストッパ４５によって保持
したＩＣコインのＩＤを上部リーダ４２で読み取ったデータが制御部６０に入力される。上部リーダ４２でＩＣコインのＩＤが読み取れた場合は、制御部６０はシャッターソレノイドを励磁させる指令を出力して非正貨通路２３のシャッター２８を開放する。そして、制御部６０が順送りソレノイドを励磁させる指令を出力し、順送りレバー４４が回動して第１ストッパ４５による保持が解除され、当該ＩＣコインが硬貨セレクタ３０を介して非正貨通路２３へ振り分けられた後、保留通路２４へ送り出される。  
【００２１】
一方、上部リーダ４２でＩＤを読み取れなかったときは、順送りレバー４４の第１ストッパ４５に保持したものはＩＣコインではなく硬貨または偽貨であるものとして、シャッターソレノイドを励磁させずシャッター２８は閉鎖された状態で、順送りソレノイドを励磁させる指令を出力し、順送りレバー４４が回動して第１ストッパ４５による保持が解除され、硬貨セレクタ３０へ案内される。そして硬貨セレクタ３０にて硬貨と識別された場合は正貨通路へ振り分けられ、偽貨と識別された場合はシャッター２８が開放された非正貨通路２３へ振り分けられ返却通路２５へ送り出される。  
【００２２】
また、順送りソレノイドが励磁され順送りレバー４４が回動して第１ストッパ４５によって保持されていたＩＣコイン等が送出されると同時に、次位に投入されたＩＣコイン等が第２ストッパ４６によって保持される（図５参照）。その後順送りソレノイドが消磁され、順送りレバー４４が元の状態に戻ったときに次位のＩＣコイン等が第１ストッパによって保持される。これにより、硬貨やＩＣコインが連続して投入された場合でも、１枚ずつ硬貨セレクタ３０へ送り出すことが可能であり、硬貨セレクタ３０による識別および振分けや、シャッター２８による振分けが確実に行われる。  
【００２３】
下部振分け部５０は、振分けディスク５４の切り欠き凹部５５に保持したＩＣコインのＩＤを、制御部６０からの指示に基づいて下部リーダ５２で読み取り、そのＩＤを制御部６０へ出力する。制御部６０は別途ＩＣコインの払出しが必要となるまで、当該ＩＣコインを下部振分け部５０に保持させたままとする一方、下部リーダ５２から受け取ったＩＣコインのＩＤを管理サーバ７０へ出力して、当該ＩＤのための管理領域７２を設定させる。  ＩＣコインのＩＤを下部リーダ５２で読み取れないエラーが発生したときには、制御部６０は当該ＩＣコインを回収通路２６へ送り出す方向に振分けディスク５４を回動させる指令を出力する。  
【００２４】
カードリードライタ６４からは、カード挿入口５から挿入された会員カードに記録された金額データが読み取られて制御部６０に入力され、制御部６０からは払出した貸玉の購入金額を差し引いた残高データが出力されて会員カードに書き込まれる。  
【００２５】
図６、図７は、以上のように構成された実施の形態における、とくに紙幣、硬貨、およびＩＣコインによる貸玉購入時の制御動作の流れを示すフローチャートである。  まず、ステップ１００において、玉貸機１の紙幣識別機２０、硬貨セレクタ３０、および順送り部４０は待機状態にある。  紙幣挿入口３から紙幣が投入されて、紙幣識別機２０から入金金額データが制御部６０へ入力されるとステップ１０１へ進む。  硬貨およびＩＣコインの共通投入口４から硬貨が投入されて、硬貨セレクタ３０から入金金額データが制御部６０へ入力されるとステップ１０２へ進む。  共通投入口４からＩＣコインが投入されて、順送り部４０からＩＣコインのＩＤが制御部６０へ入力されるとステップ３０１へ進む。  
【００２６】
ステップ１０１で、制御部６０は、入金金額が千円以下であるかをチェックして、千円以下であればステップ１０２へ進み、千円を超える高額の場合はステップ１０３へ進む。  ステップ１０２では、制御部６０は入金金額分だけの貸玉を払出すように、貸玉供給部へ指令を出力して玉貸し処理を実行し、待機状態へ戻る。  また、共通投入口４から硬貨が投入された場合も、このステップ１０２において入金金額分だけの玉貸し処理が実行される。  
【００２７】
一方、高額入金の場合、ステップ１０３では、制御部６０が、下部振分け部５０のＩＣコインのＩＤと入金金額のデータを管理サーバ７０へ出力する。これにより、管理サーバ７０は、当該ＩＣコインのＩＤ（ＩＤ：Ａ）に対応させた管理領域７２Ａに入金金額（例えば５０００円）を記憶する。  このあとステップ１０４において、管理サーバ７０はまず千円分の玉貸しを制御部６０へ指示し、これに基づいて制御部６０は貸玉供給部へ指令を出力して玉貸し処理を実行する。管理サーバ７０は、下部振分け部５０のＩＣコインのＩＤ（ＩＤ：Ａ）に対応する管理領域７２Ａに記憶した金額から玉貸分の千円を差し引いた新たな金額（４０００円）を、当該管理領域に記憶する。  
【００２８】
続いてステップ１０５において、管理サーバ７０は、上記管理領域７２Ａに記憶された金額が０（ゼロ）でない、すなわち残高があるかどうかをチェックする。そして残高がある場合は、ステップ１０６へ進み、残高がない場合は待機状態へ戻る。  ステップ１０６では、管理サーバ７０は残高を制御部６０へ出力し、これを受信した制御部６０は利用可能残高として残高・貯玉度数表示部１１に表示する。  
【００２９】
ステップ１０７では、制御部６０は、高額払出スイッチ１３がオンされたかどうかをチェックする。高額払出スイッチ１３がオンされた場合は、制御部６０はその旨を管理サーバ７０へ出力してステップ１０４へ戻る。すなわち、管理サーバ７０は千円分の玉貸しを制御部６０へ指示し、これに基づいて制御部６０は玉貸し処理を実行する。管理サーバ７０は、下部振分け部５０のＩＣコインのＩＤ（ＩＤ：Ａ）に対応する管理領域７２Ａに記憶した金額から玉貸分の千円を差し引いた新たな金額（３０００円）を、当該管理領域に記憶する。  
【００３０】
高額払出スイッチ１３がオンされていない場合は、ステップ１０７からステップ１０８へ進み、返却スイッチ８がオンされたかどうかをチェックする。返却スイッチ８もオンされていないときはステップ１０７へ戻り、高額払出スイッチ１３のオンまたは返却スイッチ８のオンのチェックを繰り返す。  
【００３１】
ステップ１０８のチェックで返却スイッチ８がオンされたときは、ステップ１０９において制御部６０は下部振分け部５０に指令を出し、振分けディスク５４を回動させてその切り欠き凹部５５に保持したＩＣコインをＩＣコイン払出し通路２７へ払出させる。  そして、ステップ１１０において、制御部６０は次に下部振分け部５０の振分けディスク５４に保持されたＩＣコインのＩＤ（ＩＤ：Ｂ）を下部リーダ５２から受けて、そのＩＤを管理サーバ７０に出力して新たな管理領域７２Ｂを設定させたあと、待機状態へ戻る。  
【００３２】
ＩＣコインが投入された場合のステップ３０１では、制御部６０は、上部リーダ４２が読み取った順送り部４０のＩＣコインのＩＤ（ＩＤ：Ｃ）を管理サーバ７０へ出力する。  ステップ３０２では、管理サーバ７０は、投入された当該ＩＣコインのＩＤ（ＩＤ：Ｃ）に対応する管理領域を検索し、その管理領域７２Ｃに記憶された金額が０（ゼロ）でない、すなわち残高があるかどうかをチェックする。そして残高がある場合は、ステップ３０３へ進み、残高がない場合はステップ３０５へ進む。
【００３３】
ステップ３０３で管理サーバ７０は、下部振分け部５０のＩＣコインのＩＤ（ＩＤ：Ｄ）に対応する管理領域７２Ｄに上記残高を移動させる。  すなわち、図８に示すように、投入されたＩＣコインのＩＤ（ＩＤ：Ｃ）に対応する管理領域７２Ｃに記憶された金額が例えば３０００円であった場合、矢示のように、元来記憶値が０円であった下部振分け部５０のＩＣコインのＩＤ（ＩＤ：Ｄ）に対応する管理領域７２Ｄに上記３０００円が記憶され、管理領域７２Ｃの記憶値が０円に書き換えられて、残高が付け替えられる。  
【００３４】
次のステップ３０４において、制御部６０はシャッターソレノイドを励磁させてシャッター２８を開放し、順送り部の残高をゼロとされたＩＣコインを硬貨セレクタ３０を介して保留通路２４へ送る。  これにより、共通投入口４から投入されたＩＣコインは保留通路２４に入って保留される際にすべて残高がゼロに設定されることになる。  このあとは、ステップ１０４の玉貸し処理に進み、以後、高額入金時の処理と同じである。  一方、投入されたＩＣコインに残高がなかった場合のステップ３０５では、制御部６０がシャッターソレノイドを励磁させてシャッター２８を開放し、当該ＩＣコインを順送り部４０から硬貨セレクタ３０を介して保留通路２４へ送らせ、その後待機状態に戻る。  
【００３５】
以上のように、高額入金に対して入金金額の全部を消費しないで遊技を終了する場合には、ＩＣコインを払出し、そのＩＣコインのＩＤに対応させて管理サーバ７０に残額が記憶されるので、次回ＩＣコインを投入すればそのＩＤに基づいて残高が確認され、貸玉の購入が可能となる。  また、投入されたＩＣコインはその残高が管理サーバ７０においてゼロにされ、代わりに次の払出し用に下部振分け部５０に保持されている別のＩＣコインのＩＤに対応する管理領域に付け替えられる。残高をゼロとされたＩＣコインは保留通路２４、すなわち玉貸機１内に保留されるから、投入したＩＣコインとはＩＤが異なるＩＣコインが払出されることとなる。  
【００３６】
なお、残高・貯玉度数表示部１１に残高が表示されている状態で、さらに硬貨や千円以下の紙幣が投入された場合には、ステップ１０２で投入金額分だけの貸玉が払出される。  また、残高・貯玉度数表示部１１に残高が表示されている状態で、さらに高額の紙幣やＩＣコインが投入された場合は、制御部６０から管理サーバ７０へその旨が出力されるから、ステップ１０４以下で千円分の玉貸しが行われ、下部振分け部５０に保持されているＩＣコインのＩＤに対応する管理領域の残額に差額が加算される。  ただし、残高・貯玉度数表示部１１に残高として所定の高額金額が表示されているときには、さらなる紙幣の投入などを受け付けないように設定することも可能である。  
【００３７】
なお、保留通路２４の上端近傍におけるシャッター２８の直下流には、ＩＣコインが保留通路２４の上端近傍まで貯まったことを検知するための透過センサ２９が設置されている。透過センサ２９は制御部６０に接続され、ＩＣコインが保留通路２４の上端近傍まで貯まったときには、透過センサ２９からの信号に基づいて下部振分け部５０の振分けディスク５４を回動させ、当該振分けディスクに保持していた保留通路２４の最下端のＩＣコインを回収通路２６側へ払出して、エラーコイン収納部６２に回収する。  なお上記動作の際には、回収通路２６側へ払出されるＩＣコインのＩＤに対応する管理領域に残高があるときは、当該残高は次に下部振分け部５０の振分けディスク５４に保持されたＩＣコインのＩＤに対応する管理領域に付け替えられる。  
【００３８】
精算機７５もＩＣコインのＩＤを読み取る図示省略のリーダ部を備え、精算機７５に投入されたＩＣコインのＩＤを管理サーバ７０に出力する。管理サーバ７０は当該ＩＤに対応する管理領域７２に記憶された残額を精算機７５へ通知するので、精算機７５はその残額を精算金として払出す。管理サーバ７０は残額を精算機７５へ通知した後、当該ＩＤに対応する管理領域の残額をゼロに書き換える。  
【００３９】
本実施の形態では、図６のフローチャートのステップ１０３の処理に係わる下部リーダ５２、制御部６０および管理サーバ７０が残額設定手段を構成し、順送り部４０が順送り手段を、下部振分け部５０が保持手段を、上部リーダ４２が第１リーダを、下部リーダ５２が第２リーダを、シャッター２８が振分け手段を、そして、保留通路２４が保留部を構成している。  
【００４０】
実施の形態は以上のように構成され、紙幣挿入口３と、硬貨とＩＣコインの共通投入口４とを有するとともに、共通投入口４からのＩＣコインを保留する保留通路２４の出口にＩＣコインを払出し可能に保持する下部振分け部５０を設け、紙幣挿入口３または
共通投入口４からの入金金額から貸玉の購入金額を差し引いた残額を、下部振分け部５０に保持したＩＣコインに対応させて記憶する管理サーバ７０を設け、下部振分け部５０は残額が管理サーバ７０への記憶により設定されたＩＣコインを払出すものとしたので、次回はこの払出されたＩＣコインを共通投入口４から投入することにより貸玉を購入することができる。共通投入口４は硬貨セレクタ３０にもつながっているので、紙幣挿入口３と共通投入口４の２つの口を用いて紙幣、硬貨およびＩＣコインの３種による貸玉の購入が可能である。  
【００４１】
共通投入口４から投入されたＩＣコインは保留通路２４に入る際にその残高が特定され、管理サーバ７０では当該残高を保留通路２４の出口の下部振分け部５０に保持されたＩＣコインに付け替え記憶するので、保留通路２４に複数のＩＣコインが保留されていても、投入されたＩＣコインの残高は次に払出されるＩＣコインに確実に反映される。  
【００４２】
そしてとくにＩＣコインにはそれぞれを識別可能なＩＤが書き込まれ、残高設定は、下部振分け部５０に保持したＩＣコインのＩＤを読み取る下部リーダ５２を設け、管理サーバ７０には読み取られたＩＤに対応する管理領域を設定して、上記残高をこの管理領域に記憶することにより行い、また、残高特定については、投入通路２３の順送り部４０に共通投入口４からのＩＣコインのＩＤを読み取る上部リーダ４２を設け、読み取られたＩＤに対応する管理サーバ７０の管理領域の記憶値を、当該ＩＣコインの残高とし、さらに、残高付け替えは、上部リーダ４２で読み取られたＩＤに対応する管理領域の記憶値を、下部振分け部５０に保持したＩＣコインのＩＤに対応する管理領域に記憶するとともに、上部リーダ４２で読み取られたＩＤに対応する管理領域の記憶値をゼロにするものとしたので、ＩＣコインには金額データを記憶させる必要はなく、不正な金額データ書換えの恐れがない。  
【００４３】
また、順送りソレノイドが励磁され順送りレバー４４が回動して第１ストッパ４５によって保持されていたＩＣコイン等が送出されると同時に、次位に投入されたＩＣコイン等が第２ストッパ４６によって保持された後、順送りソレノイドが消磁され、順送りレバー４４が元の状態に戻ったときに次位のＩＣコイン等が第１ストッパによって保持されるので、硬貨やＩＣコインが連続して投入された場合でも、１枚ずつ硬貨セレクタ３０へ送り出すことが可能であり、硬貨セレクタ３０による識別および振分けや、シャッター２８による振分けが確実に行われる。  
【００４４】
実施の形態は、パチンコ店の玉貸しシステムを例として説明したが、本発明はこれに限定されず、パチンコ玉のほかメダルその他の遊技媒体貸出しシステムにも適用される。  なお、実施の形態では、ＩＣコインにはＩＤを書き込み、金額データは管理サーバ７０に記憶させるものとして、不正行為防止のための照合データの書込みなどを併用すれば、ＩＣコイン自体に金額データを書き込むものとすることもできる。
【図面の簡単な説明】
【００４５】
【図１】本発明の実施の形態の構成を示す図である。
【図２】玉貸機の正面パネルの正面図である。
【図３】玉貸機の内部構造を示す側面図である。
【図４】順送り部の詳細を示す正面図である。
【図５】順送り部の詳細を示す正面図である。
【図６】貸玉購入時の制御動作の流れを示すフローチャートである。
【図７】貸玉購入時の制御動作の流れを示すフローチャートである。
【図８】ＩＣコインの残額の付け替え処理を示す説明図である。
【符号の説明】
【００４６】
１      玉貸機  ２      正面パネル  ３      紙幣挿入口  ４      共通投入口  ５      カード挿入口  ６      返却口  ７      玉払出し口  ８      返却スイッチ  ９      返却ボタン  １０    残玉回数表示部  １１    残高・貯玉度数表示部  １２    表示切替スイッチ  １３    高額払出スイッチ  １４    高額使用可表示部  １５    貯玉払出スイッチ  １６    貯玉使用可表示部  １７    鍵穴  ２０    紙幣識別機  ２１    投入通路  ２２    正貨通路  ２３    非正貨通路  ２４    保留通路  ２５    返却通路  ２６    回収通路  ２７    ＩＣコイン払出し通路  ２８    シャッター  ２９    透過センサ  ３０    硬貨セレクタ  ４０    順送り部  ４２    上部リーダ  ４４    順送りレバー  ４５    第１ストッパ  ４６    第２ストッパ  ４８    支軸  ４９    透過センサ  ５０    下部振分け部  ５２    下部リーダ５４    振分けディスク  ５５    切り欠き凹部  ５９    透過センサ  ６０    制御部  ６２    エラーコイン収納部  ６４    カードリードライタ  ６６    玉通路  ７０    管理サーバ  ７２    管理領域  ７５    精算機  Ｋ      ＩＣコイン
【図１】
2006055188.tif 000003
【図２】
2006055188.tif 000004
【図３】
2006055188.tif 000005
【図４】
2006055188.tif 000006
【図５】
2006055188.tif 000007
【図６】
2006055188.tif 000008
【図７】
2006055188.tif 000009
【図８】
2006055188.tif 000010